(57)【要約】【課題】簡単な動作で装着できる自由度を備え、小走りや回転する大きな動作時や人の混雑時に人と擦れあうなどしても、そのずり落ち防止効果を保持する肩掛けベルトのずり落ち防止具、及びそれを用いたショルダーバッグを提供する。【解決手段】帯状の前記防止具本体２と、前記防止具本体２の一方を前記ショルダーバッグ３の前記肩掛けベルト４に装着する前記ベルト装着部５と、前記防止具本体２の他方に前記挟持部６とを備え、使用者の一方の肩21に掛けられた前記肩掛けベルト４に前記ベルト装着部５を装着して、使用者の首周りに沿って前記防止具本体２を配置して、使用者の他方の肩22から前記挟持部６を脇の下に挟み、前記防止具本体２に一方の肩21から他方の肩22へ張力Ｆ１を付与し、簡単な動作で装着可能な自由度を備えるとともに、小走りや回転する大きな動作時や他人と擦れ合う環境でも、より安定したずり落ち防止効果を保持することができる。【選択図】図４
2015029859.tif 000002
【特許請求の範囲】
【請求項１】
帯状の防止具本体と、前記防止具本体の一方をショルダーバッグの肩掛けベルトに装着するベルト装着部と、前記防止具本体の他方に挟持部とを備え、
使用者の一方の肩に掛けられた前記肩掛けベルトに前記ベルト装着部を装着して、
使用者の首周りに沿って前記防止具本体を配置して、
使用者の他方の肩から前記挟持部を脇の下に挟み、
前記防止具本体に前記一方の肩から前記他方の肩へ張力を付与するものとすることを特徴とする肩掛けベルトのずり落ち防止具。
【請求項２】
請求項１記載の肩掛けベルトのずり落ち防止具を備えたことを特徴とするショルダーバッグ。
【発明の詳細な説明】
【技術分野】
【０００１】
本発明は、ショルダーバッグの肩掛けベルトのずり落ち防止具、及びそれを用いたショルダーバッグに関するものである。
【背景技術】
【０００２】
従来のずり落ち防止具では、帯状の防止具本体と、前記防止具本体の一方をショルダーバッグの肩掛けベルトに装着するベルト装着部と、前記防止具本体の他方にバランスウエイト部とを備え、使用者の一方の肩に掛けられた前記肩掛けベルトに前記ベルト装着部を装着して、使用者の首周りに沿って前記防止具本体を配置して、使用者の他方の肩から前記バランスウエイト部を吊り下げて、バランスウエイト部の重量により、前記防止具本体に前記一方の肩から前記他方の肩へ張力を付与するものがあり、簡単な動作で装着可能な自由度があった（例えば、特許文献１）。
【先行技術文献】
【特許文献】
【０００３】
【特許文献１】特許第４９１９１３５号公報
【発明の開示】
【発明が解決しようとする課題】
【０００４】
しかし、従来のずり落ち防止具では、重いショルダーバッグでの装着はバランスウエイト部を応分に重くし、また、小走りや回転する大きな動作時や人の混雑時に人と擦れあうなどで、そのずり落ち防止効果が低減するなどの問題点があった。
【０００５】
そこで、本願発明は上記した問題点に鑑み、簡単な動作で装着できる自由度を備え、小走りや回転する大きな動作時や人の混雑時に人と擦れあうなどしても、そのずり落ち防止効果を保持する肩掛けベルトのずり落ち防止具、及びそれを用いたショルダーバッグを提供することを目的とする。
【課題を解決するための手段】
【０００６】
請求項１の発明の肩掛けベルトのずり落ち防止具では、帯状の防止具本体と、前記防止具本体の一方をショルダーバッグの肩掛けベルトに装着するベルト装着部と、前記防止具本体の他方に挟持部とを備え、使用者の一方の肩に掛けられた前記肩掛けベルトに前記ベルト装着部を装着して、使用者の首周りに沿って前記防止具本体を配置して、使用者の他方の肩から前記挟持部を脇の下に挟み、前記防止具本体に前記一方の肩から前記他方の肩へ張力を付与するものとすることを特徴とする。
【０００７】
請求項２の発明のショルダーバッグでは、請求項１記載の肩掛けベルトのずり落ち防止具を備えたことを特徴とする。
【発明の効果】
【０００８】
本発明の請求項１記載の発明によれば、簡単な動作で装着可能な自由度を備えるとともに、小走りや回転する大きな動作時や他人と擦れ合う環境でも、より安定したずり落ち防止効果を得ることができる。
【０００９】
本発明の請求項２記載の発明によれば、簡単な動作で装着可能な自由度を備えるとともに、小走りや回転する大きな動作時や他人と擦れ合う環境でも、より安定した肩掛けベルトのずり落ち防止効果を得ることができるショルダーバッグを提供することができる。
【図面の簡単な説明】
【００１０】
【図１】本発明の実施例１における肩掛けベルトのずり落ち防止具をショルダーバッグに装着した状態を示す平面図である。
【図２】同上、ベルト装着部を開放した状態を示す肩掛けベルトのずり落ち防止具の平面図である。
【図３】同上、ベルト装着部を閉じた状態を示す肩掛けベルトのずり落ち防止具の平面図である。
【図４】同上、肩掛けベルトのずり落ち防止具の使用状態を示す正面図である。
【図５】同上、肩掛けベルトのずり落ち防止具の使用状態を示す背面図である。
【図６】同上、肩掛けベルトのずり落ち防止具の別の使用状態を示す正面図である。
【図７】同上、肩掛けベルトのずり落ち防止具の別の使用状態を示す背面図である。
【図８】同上、肩掛けベルトのずり落ち防止具のさらに別の使用状態を示す正面図である。
【図９】同上、肩掛けベルトのずり落ち防止具のさらに別の使用状態を示す背面図である。
【図１０】本発明の実施例２における肩掛けベルトのずり落ち防止具をショルダーバッグに装着した状態を示す平面図である。
【図１１】同上、ベルト装着部を開放した状態を示す肩掛けベルトのずり落ち防止具の平面図である。
【図１２】同上、ベルト装着部を閉じた状態を示す肩掛けベルトのずり落ち防止具の平面図である。
【図１３】同上、肩掛けベルトのずり落ち防止具の使用状態を示す正面図である。
【図１４】同上、肩掛けベルトのずり落ち防止具の使用状態を示す背面図である。
【図１５】本発明の実施例３におけるショルダーバッグの平面図である。
【図１６】同上、肩掛けベルトのずり落ち防止具を収容した状態を示す背面図である。
【発明を実施するための最良の形態】
【００１１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１２】
図１〜図９は本発明の実施例１を示しており、肩掛けベルトのずり落ち防止具１は、帯状の防止具本体２と、前記防止具本体２の一方をショルダーバッグ３の肩掛けベルト４に装着するベルト装着部５と、前記防止具本体２の他方に挟持部６とを備えている。
【００１３】
前記防止具本体２は、帯状材料の一端７と他端８を合わせて二つ折りに形成し、一方を前記一端７と前記他端８を有する開放部９とし、他方を折り返し部10を備えた閉塞部11としている。また、前記防止具本体２は、ゴム紐等の伸縮材料を一部或いは全体に用いた伸縮可能な帯状材料としてもよい。
【００１４】
前記ベルト装着部５は、前記開放部９の前記一端７と前記他端８を第１の着脱手段である第１の面ファスナー12によって着脱可能に備えたものである。
【００１５】
挟持部６は、前記閉塞部11の前記折り返し部10に設けた環状金具13に装着された軽量で薄型円形状のパックからなる。また、挟持部６としては、脇の下に挟み込んだ状態から、挟持部６が脇の下から滑り落ちないようにするために、挟持部６の表面に突起や溝等の凹凸形状を有したり、挟持部６の表面を摩擦抵抗の大きい素材とするなど滑り止め効果を有するものであればよく、それ以外でも、プラスチックやビニール等の硬質素材からなる薄型状のものや、布等を袋状に形成した表皮内部に綿やウレタン樹脂等の弾性部材を詰め込んだ弾力性を有するパックでもよい。
【００１６】
また、前記防止具本体２の前記開放部９と前記閉塞部11の間には、前記防止具本体２を開放部側環状部16と閉塞部側環状部17に分割し、前記開放部側環状部16と前記閉塞部側環状部17の相対的な長さを調整する長さ調整用バックル18が配設されている。
【００１７】
さらに、前記防止具本体２の前記閉塞部11には、前記環状金具13の位置固定用の固定用バックル19が配設されている。
【００１８】
また、前記閉塞部11は、前記折り返し部10を除く前記固定用バックル19付近を第２の着脱手段である第２の面ファスナー20によって開放可能に備えている。
【００１９】
以上の構成の肩掛けベルトのずり落ち防止具１の使用方法について説明する。まず、前記第１の面ファスナー12により前記一端７と前記他端８を連結して環状に形成した前記開放部９の前記開放部側環状部16に、前記ショルダーバッグ３の前記肩掛けベルト４を通し、前記肩掛けベルト４にずり落ち防止具１を装着する。
【００２０】
続いて、前記ずり落ち防止具１を装着した前記肩掛けベルト４を使用者の一方の肩21に掛けた状態で、前記防止具本体２を背面側から前記使用者の首周りに沿って配置して、挟持部６を備えた前記閉塞部11を他方の肩22から吊り下げて他方の肩22側の脇の下に挟持部６を挟み込み、挟持部６を脇の下から抜けないように固定する。
【００２１】
そして、前記挟持部６によって、前記防止具本体２に前記一方の肩21から前記他方の肩22へと張力Ｆ１が付与され、前記肩掛けベルト４が前記ショルダーバッグ３の重量により前記一方の肩21に沿ってずり落ちようとするのに対して、前記ベルト装着部５を介して前記ずり落ち防止具１によって前記肩掛けベルト４がずり落ちる向きとは反対向きの前記他方の肩22側の脇の下に固定される。このように、前記肩掛けベルト４を前記一方の肩21に沿ってずり落とそうとする力Ｆ２と前記ずり落ち防止具１からの前記張力Ｆ１とが打ち消し合って、前記肩掛けベルト４と前記一方の肩21との間の摩擦力が保持され、前記肩掛けベルト４のずり落ちが防止される。
【００２２】
さらに、前記ショルダーバッグ３をたすき掛けする場合など、前記ずり落ち防止具１が不要なときには、前記第１の面ファスナー12を開いて前記開放部９を開放して、前記ずり落ち防止具１を前記肩掛けベルト４から取り外すことができる。
【００２３】
また、前記閉塞部11は、前記第２の面ファスナー20を開放することで、前記環状金具13ごと前記挟持部６を着脱可能とし、前記挟持部６の交換等を容易にしている。
【００２４】
次に、図６及び図７に基づき、前記ずり落ち防止具１の別の使用方法について説明すると、予め前記長さ調整用バックル18により前記開放部側環状部16を肩幅程度の長さに調整した前記ずり落ち防止具１を、前記第１の面ファスナー12により前記一端７と前記他端８を連結して環状に形成した前記開放部９の前記開放部側環状部16に、前記ショルダーバッグ３の前記肩掛けベルト４を通し、前記肩掛けベルト４に装着する。
【００２５】
続いて、前記ずり落ち防止具１を装着した前記肩掛けベルト４を使用者の前記一方の肩21に掛けた状態で、前記防止具本体２を背面側から前記使用者の首周りに沿って配置して、前記閉塞部側環状部17を前記他方の肩22側の腕に通した状態で前記他方の肩22に装着する。
【００２６】
このように、前記ずり落ち防止具１の前記閉塞部側環状部17が前記他方の肩22に装着されていることにより、前記肩掛けベルト４が前記一方の肩21に沿ってずり落ちようとすると、前記ずり落ち防止具１を介して前記他方の肩22に保持されるので、前記肩掛けベルト４のずり落ちが防止される。また、前記防止具本体２を伸縮可能とした場合、身体への圧迫による不快感をさらに軽減することができる。
【００２７】
さらに、図８及び図９に基づき、前記ずり落ち防止具１の別の使用方法について説明すると、予め前記長さ調整用バックル18により前記閉塞部側環状部17の長さを使用者がたすき掛けが可能な程度の長さに調整した前記ずり落ち防止具１を、前記第１の面ファスナー12により前記一端７と前記他端８を連結して環状に形成した前記開放部９の前記開放部側環状部16に、前記ショルダーバッグ３の前記肩掛けベルト４を通し、前記肩掛けベルト４に装着する。
【００２８】
続いて、前記ずり落ち防止具１を装着した前記肩掛けベルト４を使用者の一方の肩21に掛けた状態で、前記閉塞部側環状部17を前記一方の肩21からたすき掛けして、前記ずり落ち防止具１を装着する。
【００２９】
このように、前記ずり落ち防止具１が前記一方の肩21からたすき掛けによって装着されていることにより、前記肩掛けベルト４が前記一方の肩21に沿ってずり落ちようとすると、前記ずり落ち防止具１を介して他方の肩22側の体側部23に保持されるので、前記肩掛けベルト４のずり落ちが防止される。また、前記防止具本体２を伸縮可能とした場合、身体への圧迫による不快感をさらに軽減することができる。
【００３０】
以上のように、帯状の前記防止具本体２と、前記防止具本体２の一方を前記ショルダーバッグ３の前記肩掛けベルト４に装着する前記ベルト装着部５と、前記防止具本体２の他方に前記挟持部６とを備え、使用者の一方の肩21に掛けられた前記肩掛けベルト４に前記ベルト装着部５を装着して、使用者の首周りに沿って前記防止具本体２を配置して、使用者の他方の肩22から前記挟持部６を脇の下に挟み、前記防止具本体２に一方の肩21から他方の肩22へ張力Ｆ１を付与する。
【００３１】
この場合、前記ずり落ち防止具１は、簡単な動作で装着可能な自由度を備えるとともに、使用者の身体への圧迫による不快感を軽減して、小走りや回転する大きな動作時や他人と擦れ合う環境でも、より安定したずり落ち防止効果を保持することができる。
【００３２】
また、前記挟持部６を滑り止め効果を有するものとすることで、挟持部６と脇の下との摩擦抵抗によって挟持部６が脇の下から滑り落ちるのを防止して、挟持部６を脇の下に軽い力で挟み込むだけで、挟持部６を容易に脇の下に保持することができるとともに、挟持部６を脇の下に挟持する際の疲労を軽減させることができる。
【００３３】
また、前記挟持部６を、弾力性を有する軽量で薄型円形状のパックとした場合、その挟持部６を脇の下に挟み込んで固定することで、脇の下に挟み込んだ際の感触がよく、脇の下に固定する際の負担を軽減することができる。
【００３４】
実施例上の効果として、前記防止具本体２を伸縮可能とした場合、前記防止具本体２が首周りに沿って伸縮することで、首周りへの圧迫などの不快感を軽減することができる。
【００３５】
前記挟持部６は、上記の薄型円形状の構成以外でも、弾力性を有して軽量で脇の下に挟み抜けないものなら、各種マスコットキャラクター等のぬいぐるみ等として遊び心の広がるものとしてもよい。
【実施例２】
【００３６】
図１０〜図１４は本発明の実施例２を示しており、前記実施例１と同一部分には同一符号を付し、その詳細な説明を省略する。実施例２において、肩掛けベルトのずり落ち防止具１は、帯状の防止具本体２と、前記防止具本体２の一方を前記ショルダーバッグ３の前記肩掛けベルト４に装着するベルト装着部５と、前記防止具本体２の他方に挟持部６とを備えている。
【００３７】
前記防止具本体２は、帯状材料の一方が係止手段30に接続されるとともに、前記帯状材料の他方が環状金具31に挿通された後、前記一方側へ折り返されて、前記一方と前記他方との間に配設された前記防止部本体２の長さを調整する長さ調整用バックル32に接続されたものである。ここで、前記防止部本体２は、前記係止手段30を介して前記環状金具13に着脱自在に備えている。
【００３８】
前記ベルト装着部５は、一方が前記環状金具31に接続され、他方が二股に分離して形成されたゴム紐等の伸縮部材からなる二股部33と、前記二股部33の分離した一方に接続された帯状材料からなる第１の開放片34と、前記二股部33の分離した他方に接続された帯状材料からなる第２の開放片35とを備えている。そして、前記第１の開放片34と前記第２の開放片35とを第３の着脱手段であるスナップボタン36によって着脱可能に備えたものである。
【００３９】
前記スナップボタン36は、前記第１の開放片34の長さ方向に所定間隔を有して配設された第１の凹部37及び第２の凹部38と、前記第１の凹部37及び第２の凹部38に嵌合自在に備え、前記第２の開放片35の長さ方向に複数配設された第１の凸部39及び第２の凸部40を備えている。
【００４０】
そして、前記スナップボタン36では、前記第１の凹部37及び第２の凹部38を、前記第１の凸部39及び第２の凸部40に嵌合させて、前記第１の開放片34と前記第２の開放片35を接続すると、前記第１の開放片34、前記第２の開放片35、そして前記二股部33による閉鎖環状部41が形成される。
【００４１】
前記閉鎖環状部41の長さ調節は、前記スナップボタン36の前記第１の凹部37及び第２の凹部38と、前記第１の凸部39及び第２の凸部40との嵌合の組み合わせを適宜変更させることで調整自在としている。
【００４２】
以上の構成の肩掛けベルトのずり落ち防止具１の使用方法について説明する。まず、前記閉鎖環状部41に、前記ショルダーバッグ３の前記肩掛けベルト４を通し、前記肩掛けベルト４に前記ずり落ち防止具１を装着する。
【００４３】
続いて、前記ずり落ち防止具１を装着した前記肩掛けベルト４を使用者の一方の肩21に掛けた状態で、前記防止具本体２を背面側から使用者の首周りに沿って配置して、挟持部６を備えた前記防止具本体２の他方側を他方の肩22から吊り下げて他方の肩22側の脇の下に挟持部６を挟み込み、挟持部６を脇の下から抜けないように固定する。
【００４４】
実施例上の効果として、前記二股部33を伸縮可能とした場合、前記二股部33が伸縮することで、首周りへの圧迫などの不快感を軽減したり、前記肩掛けベルト４への取付作業性を向上させることができる。
【実施例３】
【００４５】
図１５〜図１６は本発明の実施例３を示しており、前記実施例１及び実施例２と同一部分には同一符号を付し、その詳細な説明を省略する。実施例３において、前記ベルト装着部５は、予め前記閉鎖環状部41に前記肩掛けベルト４を通した状態で、前記第１の開放片34と前記第２の開放片35を縫製等によって一体に固定されている。このように、本実施例では、前記ずり落ち防止具１を前記ショルダーバッグ３の前記肩掛けベルト４に一体に備えた構成としている。
【００４６】
以上の構成の前記ショルダーバッグ３の使用方法について説明する。前記ずり落ち防止具１を使用する場合は、前記ずり落ち防止具１を装着した前記肩掛けベルト４を使用者の一方の肩21に掛けた状態で、前記防止具本体２を背面側から使用者の首周りに沿って配置して、挟持部６を備えた前記防止具本体２の他方側を他方の肩22から吊り下げて他方の肩22側の脇の下に挟持部６を挟み込み、挟持部６を脇の下から抜けないように固定する。
【００４７】
また、前記ずり落ち防止具１を使用しない場合は、前記ショルダーバッグ３のポケット３Ａや前記ショルダーバッグ３内部に挟持部６を収容して、通常のショルダーバッグ３として使用する。
【００４８】
このように、肩掛けベルトのずり落ち防止具１を、前記ショルダーバッグ３の前記肩掛けベルト４に備えたことにより、簡単な動作で装着可能な自由度を備えるとともに、使用者の身体への圧迫による不快感を軽減して、前記肩掛けベルト４のずり落ち防止を行うことができる前記ショルダーバッグ３を提供することができる。
【００４９】
本発明は、前記実施例に限定されるものではなく、本発明の要旨の範囲内で種々の変形実施が可能である。例えば、前記第１の着脱手段及び前記第２の着脱手段はともに、面ファスナーに限定されるのもではなく、スナップボタン等の周知の着脱手段に適宜変更可能である。さらに、本発明の前記ずり落ち防止具１は、前記ショルダーバッグ３の前記肩掛けベルト４に限らず、肩掛けベルトによって肩から下げて携行する鞄、ケース、袋等の収納体一般の肩掛けベルトや、肩掛けによって携行する物品の吊り紐にも適用可能である。
【符号の説明】
【００５０】
１  ずり落ち防止具
２  防止具本体
３  ショルダーバッグ
４  肩掛けベルト
５  ベルト装着部
６  挟持部
【図１】
2015029859.tif 000003
【図２】
2015029859.tif 000004
【図３】
2015029859.tif 000005
【図４】
2015029859.tif 000006
【図５】
2015029859.tif 000007
【図６】
2015029859.tif 000008
【図７】
2015029859.tif 000009
【図８】
2015029859.tif 000010
【図９】
2015029859.tif 000011
【図１０】
2015029859.tif 000012
【図１１】
2015029859.tif 000013
【図１２】
2015029859.tif 000014
【図１３】
2015029859.tif 000015
【図１４】
2015029859.tif 000016
【図１５】
2015029859.tif 000017
【図１６】
2015029859.tif 000018